(57)【特許請求の範囲】
【請求項１】
第１情報処理装置と第２情報処理装置と蓄積装置とを備える情報処理システムであって、
前記第２情報処理装置は、
他の情報処理装置のＦＡＸ番号を登録する登録手段と、
他の情報処理装置からＦＡＸ番号が要求された場合、前記登録手段から前記要求されたＦＡＸ番号を返送するＦＡＸ番号返送手段と、
他の情報処理装置から自身の所在位置の情報を要求された場合、該要求に係る所在位置の情報を返送する第２返送手段とを備え、
前記第１情報処理装置は、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得し、前記蓄積装置に該取得した所在位置の情報に対応する前記番号を要求する番号要求手段と、
該番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備え、
前記蓄積装置は、
前記所在位置の情報に対応する市外局番、国番号、または電話会社の識別番号を含む番号を蓄積する蓄積手段と、
前記第１情報処理装置から前記所在位置の情報に対応する前記番号が要求された場合に、前記蓄積手段から該要求に係る所在位置の情報に対応する前記番号を返送する番号返送手段とを備えたことを特徴とする情報処理システム。
【請求項２】
第１情報処理装置と第２情報処理装置とを備える情報処理システムであって、
前記第２情報処理装置は、
他の情報処理装置のＦＡＸ番号を登録する登録手段と、
他の情報処理装置からＦＡＸ番号が要求された場合、前記登録手段から前記要求されたＦＡＸ番号を返送するＦＡＸ番号返送手段と、
他の情報処理装置から自身の所在位置の情報を要求された場合、該要求に係る所在位置の情報を返送する第２返送手段とを備え、
前記第１情報処理装置は、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手段と、
該手段によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手段とを備えたことを特徴とする情報処理システム。
【請求項３】
第１情報処理装置と第２情報処理装置とを備える情報処理システムであって、
前記第２情報処理装置は、
他の情報処理装置のＦＡＸ番号を登録する登録手段と、
他の情報処理装置からＦＡＸ番号が要求された場合、前記登録手段から前記要求されたＦＡＸ番号を返送するＦＡＸ番号返送手段と、
他の情報処理装置から自装置のＦＡＸ番号に付いている市外局番、国番号、または電話会社の識別番号を含む番号が要求された場合、自装置のＦＡＸ番号に付いている前記番号を返送する番号返送手段とを備え、
前記第１情報処理装置は、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて前記番号が付いていなかった場合、前記ＦＡＸ番号を要求した先の第２情報処理装置のＦＡＸ番号に付いている前記番号を要求する番号要求手段と、
該番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えたことを特徴とする情報処理システム。
【請求項４】
前記第１情報処理装置に、前記番号を取得できなかった場合、前記番号に対して市外局番、国番号、または電話会社の識別番号を含む番号の入力をユーザから受け付ける手段を設けたことを特徴とする請求項１乃至３のいずれか一項に記載の情報処理システム。
【請求項５】
第２情報処理装置及び蓄積装置と通信可能な情報処理装置であって、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した前記蓄積装置に前記取得した所在位置の情報に対応する前記番号を要求する番号要求手段と、
該番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えたことを特徴とする情報処理装置。
【請求項６】
第２情報処理装置と通信可能な情報処理装置であって、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手段と、
該手段によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手段とを備えたことを特徴とする情報処理装置。
【請求項７】
第２情報処理装置と通信可能な情報処理装置であって、
前記第２情報処理装置に対して該第２情報処理装置に登録されているＦＡＸ番号を要求して取得するＦＡＸ番号取得手段と、
該ＦＡＸ番号取得手段によって取得したＦＡＸ番号を調べて前記番号が付いていなかった場合、前記ＦＡＸ番号を要求した先の第２情報処理装置のＦＡＸ番号に付いている前記番号を要求する番号要求手段と、
該番号要求手段によって要求した前記番号に対応する前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えたことを特徴とする情報処理装置。
【請求項８】
前記番号を取得できなかった場合、前記番号に対して市外局番、国番号、または電話会社の識別番号を含む番号の入力をユーザから受け付ける手段を設けたことを特徴とする請求項５乃至７のいずれか一項に記載の情報処理装置。
【請求項９】
第２情報処理装置が、
他の情報処理装置のＦＡＸ番号を登録する登録工程と、
他の情報処理装置からＦＡＸ番号が要求された場合、前記登録工程によって登録したＦＡＸ番号から前記要求されたＦＡＸ番号を返送するＦＡＸ番号返送工程と、
他の情報処理装置から自身の所在位置の情報を要求された場合、該要求に係る所在位置の情報を返送する第２返送工程とを実行し、
第１情報処理装置が、
前記第２情報処理装置に対して該第２情報処理装置に登録されているＦＡＸ番号を要求して取得するＦＡＸ番号取得工程と、
該ＦＡＸ番号取得工程によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した蓄積装置にアクセスして該蓄積装置に前記第２情報処理装置の所在位置の情報に対応する前記番号を要求する番号要求工程と、
該番号要求工程によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信工程とを実行することを特徴とする情報処理方法。
【請求項１０】
第２情報処理装置が、
他の情報処理装置のＦＡＸ番号を登録する登録工程と、
他の情報処理装置からＦＡＸ番号が要求された場合、前記登録工程によって登録したＦＡＸ番号から前記要求されたＦＡＸ番号を返送するＦＡＸ番号返送工程と、
他の情報処理装置から自身の所在位置の情報を要求された場合、該要求に係る所在位置の情報を返送する第２返送工程とを実行し、
第１情報処理装置が、
前記第２情報処理装置に対して該第２情報処理装置に登録されているＦＡＸ番号を要求して取得するＦＡＸ番号取得工程と、
該ＦＡＸ番号取得工程によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する工程と、
該工程によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信工程とを実行することを特徴とする情報処理方法。
【請求項１１】
第２情報処理装置が、
他の情報処理装置のＦＡＸ番号を登録する登録工程と、
他の情報処理装置からＦＡＸ番号が要求された場合、前記登録工程によって登録したＦＡＸ番号から前記要求されたＦＡＸ番号を返送するＦＡＸ番号返送工程と、
他の情報処理装置から自装置のＦＡＸ番号に付いている市外局番、国番号、または電話会社の識別番号を含む番号が要求された場合、自装置のＦＡＸ番号に付いている前記番号を返送する番号返送工程とを実行し、
第１情報処理装置が、
前記第２情報処理装置に対して該第２情報処理装置に登録されているＦＡＸ番号を要求して取得するＦＡＸ番号取得工程と、
該ＦＡＸ番号取得工程によって取得したＦＡＸ番号を調べて前記番号が付いていなかった場合、前記ＦＡＸ番号を要求した先の第２情報処理装置のＦＡＸ番号に付いている前記番号を要求する番号要求工程と、
該番号要求工程によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信工程とを実行することを特徴とする情報処理方法。
【請求項１２】
前記第１情報処理装置が、前記番号を取得できなかった場合、前記番号に対して市外局番、国番号、または電話会社の識別番号を含む番号の入力をユーザから受け付ける工程をさらに実行することを特徴とする請求項９乃至１１のいずれか一項に記載の情報処理方法。
【請求項１３】
第２情報処理装置及び蓄積装置と通信可能な情報処理装置を制御するコンピュータに、
前記第２情報処理装置に対して該第２情報処理装置に登録されているＦＡＸ番号を要求して取得するＦＡＸ番号取得手順と、
該ＦＡＸ番号取得手順によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した前記蓄積装置にアクセスして該蓄積装置に前記取得した所在位置の情報に対応する前記番号を要求する番号要求手順と、
該番号要求手順によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手順とを実行させるためのプログラム。
【請求項１４】
第２情報処理装置と通信可能な情報処理装置を制御するコンピュータに、
前記第２情報処理装置に対して該第２情報処理装置に登録されているＦＡＸ番号を要求して取得するＦＡＸ番号取得手順と、
該ＦＡＸ番号取得手順によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手順と、
該手順によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手順とを実行させるためのプログラム。
【請求項１５】
第２情報処理装置と通信可能な情報処理装置を制御するコンピュータに、
前記第２情報処理装置に対して該第２情報処理装置に登録されているＦＡＸ番号を要求して取得するＦＡＸ番号取得手順と、
該ＦＡＸ番号取得手順によって取得したＦＡＸ番号を調べて前記番号が付いていなかった場合、前記ＦＡＸ番号を要求した先の第２情報処理装置のＦＡＸ番号に付いている前記番号を要求する番号要求手順と、
該番号要求手順によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手順とを実行させるためのプログラム。
【請求項１６】
前記情報処理装置を制御するコンピュータに、前記番号を取得できなかった場合、前記番号に対して市外局番、国番号、または電話会社の識別番号を含む番号の入力をユーザから受け付ける手順を実行させるためのプログラムをさらに含む請求項１３乃至１５のいずれか一項に記載のプログラム。
【発明の詳細な説明】
【技術分野】
【０００１】
この発明は、ファクシミリ装置、プリンタ、スキャナ、複写機、および複合機、パーソナルコンピュータを含む情報処理装置を備えた情報処理システムと、その情報処理システムに含まれる情報処理装置と、その情報処理装置における情報処理方法と、および情報処理装置を制御するコンピュータに必要な機能を実現させるためのプログラムに関する。
【背景技術】
【０００２】
ファクシミリ装置、プリンタ、スキャナ、複写機、および複合機（これらは「画像形成装置」ともいう）、パーソナルコンピュータを含む情報処理装置では、外部の情報処理装置から他の装置のＦＡＸ番号を取得し、そのＦＡＸ番号によって上記他の装置へＦＡＸ送信するような利用がなされる場合がある。
従来、サーバからＦＡＸ番号を取得した場合、そのＦＡＸ番号に市外局番が含まれており、その市外局番が不要な場合には上記ＦＡＸ番号から市外局番を削除してＦＡＸ送信する情報処理装置（例えば、特許文献１参照）があった。
【発明の概要】
【発明が解決しようとする課題】
【０００３】
しかしながら、上述したような従来の情報処理装置では、外部の情報処理装置から他の装置のＦＡＸ番号に市外局番が付いておらず、その市外局番がなければＦＡＸ送信先へ回線が接続できない場合、ユーザは市外局番を探し出して入力する作業が煩雑になるという問題があった。
この発明は上記の点に鑑みてなされたものであり、他の装置に登録されている市外局番のないＦＡＸ番号を利用してＦＡＸ送信できるようにすることを目的とする。
【課題を解決するための手段】
【０００４】
この発明は上記の目的を達成するため、第１情報処理装置と第２情報処理装置と蓄積装置とを備える情報処理システムであって、前記第２情報処理装置は、他の情報処理装置のＦＡＸ番号を登録する登録手段と、他の情報処理装置からＦＡＸ番号が要求された場合、上記登録手段から上記要求されたＦＡＸ番号を返送するＦＡＸ番号返送手段と、他の情報処理装置から自身の所在位置の情報を要求された場合、該要求に係る所在位置の情報を返送する第２返送手段とを備え、前記第１情報処理装置は、前記第２情報処理装置に対して該第２情報処理装置に登録されているＦＡＸ番号を要求して取得するＦＡＸ番号取得手段と、そのＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得し、前記蓄積装置に該取得した所在位置の情報に対応する上記番号を要求する番号要求手段と、その番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備え、上記蓄積装置は、前記所在位置の情報に対応する市外局番、国番号、または電話会社の識別番号を含む番号を蓄積する蓄積手段と、前記第１情報処理装置から前記所在位置の情報に対応する前記番号が要求された場合に、前記蓄積手段から該要求に係る所在位置の情報に対応する前記番号を返送する番号返送手段とを備えた情報処理システムを提供する。
【０００５】
また、第１情報処理装置と第２情報処理装置とを備える情報処理システムであって、前記第２情報処理装置は、他の情報処理装置のＦＡＸ番号を登録する登録手段と、他の情報処理装置からＦＡＸ番号が要求された場合、上記登録手段から上記要求されたＦＡＸ番号を返送するＦＡＸ番号返送手段と、他の情報処理装置から自身の所在位置の情報を要求された場合、該要求に係る所在位置の情報を返送する第２返送手段とを備え、前記第１情報処理装置は、前記第２情報処理装置に対して該第２情報処理装置に登録されているＦＡＸ番号を要求して取得するＦＡＸ番号取得手段と、該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手段と、該手段によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手段とを備えた情報処理システムにするとよい。
【０００６】
また、第１情報処理装置と第２情報処理装置とを備える情報処理システムであって、前記第２情報処理装置は、他の情報処理装置のＦＡＸ番号を登録する登録手段と、他の情報処理装置からＦＡＸ番号が要求された場合、上記登録手段から上記要求されたＦＡＸ番号を返送するＦＡＸ番号返送手段と、他の情報処理装置から自装置のＦＡＸ番号に付いている市外局番、国番号、または電話会社の識別番号を含む番号が要求された場合、自装置のＦＡＸ番号に付いている上記番号を返送する番号返送手段とを備え、前記第１情報処理装置は、前記第２情報処理装置に対して該第２情報処理装置に登録されているＦＡＸ番号を要求して取得するＦＡＸ番号取得手段と、該ＦＡＸ番号取得手段によって取得したＦＡＸ番号を調べて前記番号が付いていなかった場合、前記ＦＡＸ番号を要求した先の第２情報処理装置のＦＡＸ番号に付いている前記番号を要求する番号要求手段と、該番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えた情報処理システムにするとよい。
【０００７】
さらにまた、上記のような情報処理システムにおいて、上記第１情報処理装置に、上記番号を取得できなかった場合、上記番号に対して市外局番、国番号、または電話会社の識別番号を含む番号の入力をユーザから受け付ける手段を設けるとよい。
【０００８】
また、第２情報処理装置及び蓄積装置と通信可能な情報処理装置であって、前記第２情報処理装置に対して該第２情報処理装置に登録されているＦＡＸ番号を要求して取得するＦＡＸ番号取得手段と、該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した前記蓄積装置に前記取得した所在位置の情報に対応する前記番号を要求する番号要求手段と、該番号要求手段によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えた情報処理装置にするとよい。
【０００９】
また、第２情報処理装置と通信可能な情報処理装置であって、前記第２情報処理装置に対して該第２情報処理装置に登録されているＦＡＸ番号を要求して取得するＦＡＸ番号取得手段と、該ＦＡＸ番号取得手段によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手段と、該手段によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手段とを備えた情報処理装置にするとよい。
【００１０】
また、第２情報処理装置と通信可能な情報処理装置であって、前記第２情報処理装置に対して該第２情報処理装置に登録されているＦＡＸ番号を要求して取得するＦＡＸ番号取得手段と、該ＦＡＸ番号取得手段によって取得したＦＡＸ番号を調べて前記番号が付いていなかった場合、前記ＦＡＸ番号を要求した先の第２情報処理装置のＦＡＸ番号に付いている前記番号を要求する番号要求手段と、該番号要求手段によって要求した前記番号に対応する前記番号を取得した場合、該取得した前記番号を前記ＦＡＸ番号取得手段によって取得したＦＡＸ番号に付けてＦＡＸ送信先へかけてＦＡＸ送信するＦＡＸ送信手段とを備えた情報処理装置にするとよい。
【００１１】
さらに、上記のような情報処理装置において、上記番号を取得できなかった場合、上記番号に対して市外局番、国番号、または電話会社の識別番号を含む番号の入力をユーザから受け付ける手段を設けるとよい。
【００１２】
また、第２情報処理装置が、他の情報処理装置のＦＡＸ番号を登録する登録工程と、他の情報処理装置からＦＡＸ番号が要求された場合、上記登録工程によって登録したＦＡＸ番号から上記要求されたＦＡＸ番号を返送するＦＡＸ番号返送工程と、他の情報処理装置から自身の所在位置の情報を要求された場合、該要求に係る所在位置の情報を返送する第２返送工程とを実行し、第１情報処理装置が、上記第２情報処理装置に対してその他の情報処理装置に登録されているＦＡＸ番号を要求して取得するＦＡＸ番号取得工程と、該ＦＡＸ番号取得工程によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した蓄積装置にアクセスして該蓄積装置に前記第２情報処理装置の所在位置の情報に対応する前記番号を要求する番号要求工程と、該番号要求工程によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信工程とを実行する情報処理方法を提供する。
【００１３】
また、第２情報処理装置が、他の情報処理装置のＦＡＸ番号を登録する登録工程と、他の情報処理装置からＦＡＸ番号が要求された場合、上記登録工程によって登録したＦＡＸ番号から上記要求されたＦＡＸ番号を返送するＦＡＸ番号返送工程と、他の情報処理装置から自身の所在位置の情報を要求された場合、該要求に係る所在位置の情報を返送する第２返送工程とを実行し、第１情報処理装置が、前記第２情報処理装置に対して該第２情報処理装置に登録されているＦＡＸ番号を要求して取得するＦＡＸ番号取得工程と、該ＦＡＸ番号取得工程によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する工程と、該工程によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信工程とを実行する情報処理方法にするとよい。
【００１４】
また、第２情報処理装置が、他の情報処理装置のＦＡＸ番号を登録する登録工程と、他の情報処理装置からＦＡＸ番号が要求された場合、上記登録工程によって登録したＦＡＸ番号から上記要求されたＦＡＸ番号を返送するＦＡＸ番号返送工程と、他の情報処理装置から自装置のＦＡＸ番号に付いている市外局番、国番号、または電話会社の識別番号を含む番号が要求された場合、自装置のＦＡＸ番号に付いている上記番号を返送する番号返送工程とを実行し、第１情報処理装置が、前記第２情報処理装置に対して該第２情報処理装置に登録されているＦＡＸ番号を要求して取得するＦＡＸ番号取得工程と、該ＦＡＸ番号取得工程によって取得したＦＡＸ番号を調べて前記番号が付いていなかった場合、前記ＦＡＸ番号を要求した先の第２情報処理装置のＦＡＸ番号に付いている前記番号を要求する番号要求工程と、該番号要求工程によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信工程とを実行する情報処理方法にするとよい。
【００１５】
さらに、上記のような情報処理方法において、前記第１情報処理装置が、上記番号を取得できなかった場合、上記番号に対して市外局番、国番号、または電話会社の識別番号を含む番号の入力をユーザから受け付ける工程をさらに実行するとよい。
【００１６】
また、第２情報処理装置及び蓄積装置と通信可能な情報処理装置を制御するコンピュータに、前記第２情報処理装置に対して該第２情報処理装置に登録されているＦＡＸ番号を要求して取得するＦＡＸ番号取得手順と、該ＦＡＸ番号取得手順によって取得したＦＡＸ番号を調べて市外局番、国番号、または電話会社の識別番号を含む番号が付いていなかった場合、前記第２情報処理装置から該第２情報処理装置の所在位置の情報を取得し、所在位置の情報に対応する前記番号を蓄積した前記蓄積装置にアクセスして該蓄積装置に前記取得した所在位置の情報に対応する前記番号を要求する番号要求手順と、該番号要求手順によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手順とを実行させるためのプログラムも提供する。
【００１７】
また、第２情報処理装置と通信可能な情報処理装置を制御するコンピュータに、前記第２情報処理装置に対して該第２情報処理装置に登録されているＦＡＸ番号を要求して取得するＦＡＸ番号取得手順と、該ＦＡＸ番号取得手順によって取得したＦＡＸ番号を調べて市外局番、国番号、または電話会社の識別番号を含む番号が付いていなかった場合、前記第２情報処理装置から該第２情報処理装置の所在位置の情報を取得すると共に、インターネットを介して番号検索サイトに接続する手順と、該手順によって接続した番号検索サイトから前記第２情報処理装置の所在位置の情報に対応する前記番号を検索して取得した場合、該取得した前記番号を前記ＦＡＸ番号取得手段によって取得したＦＡＸ番号に付けてＦＡＸ送信先へかけてＦＡＸ送信するＦＡＸ送信手順とを実行させるためのプログラムにするとよい。
【００１８】
また、第２情報処理装置と通信可能な情報処理装置を制御するコンピュータに、前記第２情報処理装置に対して該第２情報処理装置に登録されているＦＡＸ番号を要求して取得するＦＡＸ番号取得手順と、該ＦＡＸ番号取得手順によって取得したＦＡＸ番号を調べて前記番号が付いていなかった場合、前記ＦＡＸ番号を要求した先の第２情報処理装置のＦＡＸ番号に付いている前記番号を要求する番号要求手順と、該番号要求手順によって要求した前記番号を取得した場合、該取得した前記番号を前記ＦＡＸ番号取得手段によって取得したＦＡＸ番号に付けてＦＡＸ送信先へかけてＦＡＸ送信するＦＡＸ送信手順と実行させるためのプログラムにするとよい。
【００１９】
さらに、上記のようなプログラムにおいて、情報処理装置を制御するコンピュータに、上記番号を取得できなかった場合、上記番号に対して市外局番、国番号、または電話会社の識別番号を含む番号の入力をユーザから受け付ける手順を実行させるためのプログラムにするとよい。
【発明の効果】
【００２０】
この発明による情報処理システム、情報処理装置、および情報処理方法は、他の装置に登録されている市外局番のないＦＡＸ番号を利用してＦＡＸ送信できるようにすることができる。
また、この発明によるプログラムは、コンピュータに、他の装置に登録されている市外局番のないＦＡＸ番号を利用してＦＡＸ送信することができるようにするための機能を実現させることができる。
【図面の簡単な説明】
【００２１】
【図１】この発明の情報処理システムの一実施例の構成を示す図である。
【図２】この発明の情報処理システムの他の構成例を示す図である。
【図３】図１および図２に示すＭＦＰの主要な構成を示すブロック図である。
【図４】図１に示すサーバの主要な構成を示すブロック図である。
【００２２】
【図５】図１のＭＦＰ１がＭＦＰ３へＦＡＸ送信する際の処理を示すフローチャート図である。
【図６】図２のＭＦＰ１がＦＡＸ送信する際の処理を示すフローチャート図である。
【図７】図１又は図２のＭＦＰ１がＭＦＰ３へＦＡＸ送信する際の処理を示すフローチャート図である。
【発明を実施するための形態】
【００２３】
以下、この発明を実施するための形態を図面に基づいて具体的に説明する。
図１は、この発明の情報処理システムの一実施例の構成を示す図である。また、図２は、この発明の情報処理システムの他の構成例を示す図である。
【００２４】
図１に示した情報処理システムは、ユーザが利用する複数の複合機（Ｍｕｌｔｉｆｕｎｃｔｉｏｎ  Ｐｅｒｉｐｈｅｒａｌ：ＭＦＰ）１〜３と、市外局番、国番号、または電話会社の識別番号を含む番号を提供するサーバ４と、図示を省略するファクシミリ装置、プリンタ、スキャナ、複写機を含む画像形成装置と、同じく図示を省略するパーソナルコンピュータ（ＰＣ）、データベースとしてのサーバ、およびプリントサーバを含む各種の装置と、それらの各装置の利用者認証をする認証サーバとが互いにローカルエリアネットワーク（Ｌｏｃａｌ  Ａｒｅａ  Ｎｅｔｗｏｒｋ：ＬＡＮ）５を介して通信可能に接続されている。
【００２５】
図２に示した情報処理システムは、ユーザが利用するＭＦＰ１〜３と、図示を省略するファクシミリ装置、プリンタ、スキャナ、複写機を含む画像形成装置と、同じく図示を省略するパーソナルコンピュータ（ＰＣ）、データベースとしてのサーバ、およびプリントサーバを含む各種の装置は、ＬＡＮ５を介してインターネット６にも接続可能であり、そのインターネット６の市外局番、国番号、または電話会社の識別番号を含む番号を検索する番号検索サイト７にアクセスすることができる。
【００２６】
ＭＦＰ１〜３は、発明の情報処理装置に相当し、画像読み取り機能（スキャナ機能）、印刷機能（プリント機能）、複写機能（コピー機能）、ファクシミリ通信機能（ＦＡＸ通信機能）、電子メール通信機能、画像処理機能を含む複数の機能を備えた画像形成装置である。
【００２７】
サーバ４は、予めＦＡＸ番号に対応する市外局番、国番号、または電話会社の識別番号を含む番号を蓄積している装置であり、ＭＦＰ１〜３からの要求に応じてＦＡＸ番号に対応する番号を返送する。
番号検索サイト７は、インターネット６上で公開された市外局番、国番号、または電話会社の識別番号を含む番号を検索するサービスであり、ＭＦＰ１〜３からＦＡＸ送信先の上記番号を検索して取得させることができる。
【００２８】
次に、上記ＭＦＰ１〜３とサーバ４のそれぞれの主要な構成について説明する。
図３は図１および図２に示したＭＦＰ１〜３の主要な構成を示すブロック図であり、図４は図１に示したサーバ４の主要な構成を示すブロック図である。
【００２９】
図１および図２のＭＦＰ１〜３は、図３に示すように、ユーザが各種の操作情報を入力すると共に、ユーザに各種の情報を表示するオペレーションパネルである操作表示部１０と、この装置で実行される各種のプログラムと処理対象の各種のデータを記憶するハードディスク装置（ＨＤＤ）を含む記憶部１１と、自装置と外部の装置とのＬＡＮ、ＷＡＮ、インターネットを通じたデータ通信と、公衆回線を含む通信回線によるファクシミリ通信を司る通信部１２と、スキャナ部とプリント部を含むエンジン部１３を備えている。
【００３０】
上記記憶部１１には、自装置および他のＭＦＰを含む各種の装置のＦＡＸ番号が登録されている。すなわち、発明に係る登録手段に相当する。
上記スキャナ部とプリント部については、内部構成と動作については公知なので、この実施例では詳細な説明を省略する。
【００３１】
図１および図２のＭＦＰ１〜３は、さらに、ＣＰＵ、ＲＯＭおよびＲＡＭを含むマイクロコンピュータによって実現され、それぞれの装置全体の制御を司る制御部１４を備えている。
制御部１４は、上記ＣＰＵが、上記ＲＡＭを作業領域として、上記ＲＯＭおよび上記記憶部１１に記憶されているプログラム（発明に係るプログラムも含む）を実行することによって各種の処理手順（発明に係る方法）を実行して実現される、入出力制御部１５、記憶制御部１６、通信制御部１７、エンジン制御部１８、およびＦＡＸ処理部１９の各機能部を備えている。
【００３２】
入出力制御部１５は、操作表示部１０との入力制御処理と表示制御処理を司り、記憶制御部１６は、記憶部１１に対するデータの読み書きの制御を司り、通信制御部１７は、通信部１２によるデータ通信とファクシミリ通信の制御を司り、エンジン制御部１８は、エンジン部１３によるスキャナ機能、プリント機能、コピー機能の制御を司る。
【００３３】
ＦＡＸ処理部１９は、外部の他のＭＦＰとのＦＡＸ通信処理と、外部から要求された自装置に登録されたＦＡＸ番号を返送する処理と、外部のＭＦＰから自装置には登録されていない送信先のＭＦＰのＦＡＸ番号を取得してＦＡＸ送信する処理と、その取得したＦＡＸ番号に市外局番、国番号、または電話会社の識別番号を含む番号が付いていない場合、外部のサーバ４、番号検索サイト７、ＦＡＸ番号の取得先のＭＦＰ、または自装置からのユーザによる入力によって取得し、上記取得したＦＡＸ番号に付けてＦＡＸ送信する処理を行う。
【００３４】
すなわち、発明に係るＦＡＸ番号返送手段と、ＦＡＸ番号取得手段と、番号要求手段と、番号検索サイト７にアクセスする手段と、およびＦＡＸ送信手段を含む各手段の機能を果たす。
【００３５】
図１のサーバ４は、発明に係る蓄積装置に相当し、図４に示すように、その装置で実行される各種のプログラムと、市外局番、国番号、または電話会社の識別番号を含む番号を含む各種のデータを記憶するハードディスク装置（ＨＤＤ）を含む記憶部２０と、自装置と外部のＭＦＰ１〜３とのＬＡＮ５を通じたデータ通信を司る通信部２１を備えている。
上記記憶部２０は、市外局番、国番号、または電話会社の識別番号を含む番号を、ＦＡＸ番号の市内局番−加入者番号、ＦＡＸ番号の宛先の住所、名称（会社名や事業所名）等と対応させて検索可能に記憶している。すなわち、上記記憶部２０が発明に係る蓄積手段の機能を果たす。
【００３６】
図１のサーバ４は、さらに、ＣＰＵ、ＲＯＭおよびＲＡＭを含むマイクロコンピュータによって実現され、それぞれの装置全体の制御を司る制御部２２を備えている。
この制御部２２は、上記ＣＰＵが、上記ＲＡＭを作業領域として、上記ＲＯＭおよび上記記憶部２０に記憶されているプログラムを実行することによって各種の処理手順を実行して実現される、記憶制御部２３、通信制御部２４、検索部２５の各機能部を備えている。
【００３７】
記憶制御部２３は、記憶部２０に対するデータの読み書きの制御を司り、通信制御部２４は、通信部２１によるデータ通信の制御を司る。
検索部２５は、外部の装置であるＭＦＰ１〜３から受信したデータに基いて記憶部２０に蓄積されている市外局番、国番号、または電話会社の識別番号を含む番号を検索して返送する。すなわち、発明に係る番号返送手段の機能を果たす。
【００３８】
また、このサーバ４には、図示を省略するが、ユーザが各種の操作情報を入力するキーボード、ポインティングデバイスを含む入力部と、ユーザに各種の情報を表示するＬＣＤを含むディスプレイ装置である表示部とを備えるようにしてもよい。
【００３９】
次に、この情報処理システムにおけるＦＡＸ番号の取得処理について説明する。
例えば、図１のＭＦＰ１からＭＦＰ３へＦＡＸ送信をする際、ＭＦＰ１の記憶部１１のアドレス帳にはＭＦＰ３のＦＡＸ番号が登録されていない場合、ＭＦＰ１は、情報処理システムのＭＦＰ間の連携処理機能を利用し、ＭＦＰ２の記憶部１１のアドレス帳に登録されているＭＦＰ３のＦＡＸ番号を所得して利用することでＭＦＰ１からＭＦＰ３へＦＡＸ送信することができる。
【００４０】
上記ＦＡＸ番号に市外局番が付いていない場合とは、例えば、ＭＦＰ２とＭＦＰ３が同じ市内にある場合には、市外局番が付いていないＦＡＸ番号でも相手先にかけて回線を接続することができるから、市外局番を付けないＦＡＸ番号が登録されているケースが考えられる。
【００４１】
ここで、ＭＦＰ１はＭＦＰ２とＭＦＰ３とは異なる市にあり、ＭＦＰ２とＭＦＰ３は同じ市にあり、ＭＦＰ２から取得したＭＦＰ３のＦＡＸ番号には市外局番が付いていない場合、ＭＦＰ１はサーバ４にアクセスし、サーバ４からＦＡＸ番号に対応する市外局番を取得し、ＦＡＸ番号に付加してＭＦＰ３へＦＡＸ送信を行う場合の処理を説明する。
【００４２】
図５は、図１のＭＦＰ１がＭＦＰ３へＦＡＸ送信する際の処理を示すフローチャート図である。
図１のＭＦＰ１はＭＦＰ３にＦＡＸ送信する際、自装置のアドレス帳にはＭＦＰ３のＦＡＸ番号が登録されていないので、そのＦＡＸ番号が登録されているＭＦＰ２から取得を開始する。
【００４３】
図１のＭＦＰ１のＦＡＸ処理部１９は、図５のステップ（図中「Ｓ」で示す）１のＦＡＸ番号取得処理で、ＭＦＰ２に対してＭＦＰ３のＦＡＸ番号を要求して取得し、ステップ２へ進む。
一方、図１のＭＦＰ２では、そのＦＡＸ処理部１９が、ＭＦＰ１からＭＦＰ３のＦＡＸ番号が要求された場合、記憶部１１に登録されたＭＦＰ３のＦＡＸ番号を返送する。
【００４４】
図１のＭＦＰ１のＦＡＸ処理部１９は、図５のステップ２の番号有りか否かの判断処理で、ＭＦＰ２から取得したＦＡＸ番号を調べて市外局番が付いているか否かを判断し、付いていれば、ステップ３へ進んでＭＦＰ２から取得したＦＡＸ番号によってＭＦＰ３へのＦＡＸ送信処理を実行し、この処理を終了する。
しかし、ステップ２の判断で、ＭＦＰ２から取得したＦＡＸ番号に市外局番が付いていなかった場合、ステップ４のサーバに番号要求処理で、サーバ４にアクセスして、サーバ４に上記ＦＡＸ番号に対応する市外局番を要求し、ステップ５へ進む。
【００４５】
一方、図１のサーバ４では、その検索部２５が、ＭＦＰ１から上記ＦＡＸ番号に対応する市外局番が要求された場合、記憶部２０に蓄積されたＦＡＸ番号に対応する市外局番の中からＭＦＰ３のＦＡＸ番号に対応する市外局番を検索し、市外局番があればＭＦＰ１へ返送し、なければその旨をＭＦＰ１へ通知する。
このサーバ４からＭＦＰ１が所望の市外局番を取得する方法については、公知の技術を用いれば様々な方法があるが、例えば、サーバ４に予め日本国内の市外局番と市内局番を対応させて蓄積しておき、ＭＦＰ１からはサーバ４に対して市内局番を送り、サーバ４はその市内局番に対応する市外局番をＭＦＰ１へ返送するようにするとよい。
【００４６】
ここで、ＭＦＰ１がＭＦＰ３と同じ市内にあるＭＦＰ２から取得したＭＦＰ３のＦＡＸ番号に市外局番が付いていなかった場合、サーバ４からＭＦＰ３のＦＡＸ番号の市外局番を取得する処理について詳しく説明する。
まず、ＭＦＰ２には、予めＭＦＰ２に付与された機器固有の識別情報（例えば、識別番号）、または、ＭＦＰ２が設置されている事業所の住所情報が記憶部１１に登録している。また、ＭＦＰ２が全地球測位システム（Ｇｌｏｂａｌ  Ｐｏｓｉｔｉｏｎｉｎｇ  Ｓｙｓｔｅｍ：ＧＰＳ）を搭載している場合、外部からの求めに応じてＧＰＳで測定したＭＦＰ２の所在位置の情報を返送するようにしてもよい。
【００４７】
次に、サーバ４には、ＬＡＮ５上のＭＦＰ１〜３を含む全てのＭＦＰのお客様情報として、各ＭＦＰの機器固有の識別情報毎にそれぞれのＭＦＰのＦＡＸ番号に付与される市外局番とを対応させたデータベース、各ＭＦＰの住所情報毎にそれぞれのＭＦＰのＦＡＸ番号に付与される市外局番とを対応させたデータベース、または、各ＭＦＰの所在地の情報毎にそれぞれのＭＦＰのＦＡＸ番号に付与される市外局番とを対応させたデータベースを記憶部２０に記憶している。
【００４８】
例えば、ＭＦＰ１はＭＦＰ２の機器固有の識別情報に基づいてサーバ４からＭＦＰ３のＦＡＸ番号に付与する市外局番を取得する方法では、ＭＦＰ１のＦＡＸ処理部１９は、上述のステップ２の判断で、ＭＦＰ２から取得したＦＡＸ番号に市外局番が付いていなかった場合、ＭＦＰ２に機器固有の識別情報を要求する。
【００４９】
一方、ＭＦＰ２のＦＡＸ処理部１９は、ＭＦＰ１からの要求に応じて記憶部１１に記憶している自装置の機器固有の識別情報を読み出してＭＦＰ１へ返送する。
ＭＦＰ１のＦＡＸ処理部１９は、ＭＦＰ２から機器固有の識別情報を取得すると、サーバ４に対して市外局番の要求と共に、ＭＦＰ２から取得した機器固有の識別情報を送信する。
【００５０】
サーバ４では、ＭＦＰ１から市外局番の要求があると、その要求と共に送られてきた機器固有の識別情報に基づいて記憶部２０を検索し、上記機器固有の識別情報に対応する市外局番を読み出してＭＦＰ１へ返送する。
このようにして、ＭＦＰ１はサーバ４からＭＦＰ２のＦＡＸ番号の市外局番を取得し、ＭＦＰ２から取得したＭＦＰ２と同市内にあるＭＦＰ３の市外局番が付いていなかったＦＡＸ番号に上記取得した市外局番を付けてＦＡＸ送信することができる。
【００５１】
次に、ＭＦＰ１がＭＦＰ２の住所情報、あるいは所在位置の情報に基づいてサーバ４からＭＦＰ２のＦＡＸ番号の市外局番を取得する場合も上述と同様にして行うことができ、住所情報を用いる場合は、ＭＦＰ１は、ＭＦＰ２から取得したＭＦＰ２の住所情報に基づいて、サーバ４から対応する市外局番を取得することができる。また、ＧＰＳによる所在位置の情報を用いる場合は、ＭＦＰ１は、ＭＦＰ２から取得したＭＦＰ２の所在位置の情報に基づいて、サーバ４から対応する市外局番を取得することができる。
【００５２】
なお、上述の処理に変えて、ＭＦＰ１はＭＦＰ２にＭＦＰ３のＦＡＸ番号を取得する際、ＭＦＰ１は、ＭＦＰ２に対してＭＦＰ３のＦＡＸ番号に市外局番が付いているか否かを問い合わせ、ＭＦＰ２ではその問い合わせに対してＭＦＰ３のＦＡＸ番号を調べて市外局番が付いているか否かを回答し、ＭＦＰ１はＭＦＰ２から市外局番が付いていないとの回答があった場合、上述のようにしてＭＦＰ２の機器固有の識別情報、住所情報、または所在位置の情報を取得して該当する市外局番をサーバ４から取得するようにしてもよい。
【００５３】
図１のＭＦＰ１のＦＡＸ処理部１９は、図５のステップ５の番号取得か否かの判断で、サーバ４から要求した上記ＦＡＸ番号に対応する市外局番を取得した場合、ステップ３へ進んでＭＦＰ２から取得したＦＡＸ番号にサーバ４から取得した市外局番を付けてＭＦＰ３へのＦＡＸ送信処理を実行し、この処理を終了する。
また、ステップ５の判断で、サーバ４から要求した上記ＦＡＸ番号に対応する市外局番を取得できなかった場合、ステップ６でＦＡＸ番号の市外局番が不明のためにＦＡＸ送信できない旨をユーザに通知するエラー処理を実行して、この処理を終了する。
【００５４】
例えば、ＭＦＰ１がＭＦＰ３にＦＡＸ送信する際、ＭＦＰ１のアドレス帳にはＭＦＰ３のＦＡＸ番号が登録されておらず、ＭＦＰ２にＭＦＰ３のＦＡＸ番号「□□□−□□□□」が登録されている場合、ＭＦＰ１はＭＦＰ２からＭＦＰ３のＦＡＸ番号「□□□−□□□□」を取得した後、サーバ４からＭＦＰ３のＦＡＸ番号「□□□−□□□□」に対応する市外局番、例えば「０４６」を取得し、ＦＡＸ番号「０４６−□□□−□□□□」によってＭＦＰ３にＦＡＸ送信することができる。
【００５５】
このようにして、ＭＦＰ間の連携処理機能を利用してＦＡＸ送信を行う場合、自装置のアドレス帳にＦＡＸ送信先のＦＡＸ番号がなくても、他のＭＦＰからＦＡＸ番号を取得してＦＡＸ送信する際、その取得したＦＡＸ番号に市外局番がなくても、外部のサーバに登録されている市外局番を取得して、その取得した市外局番を上記取得したＦＡＸ番号に付けてＦＡＸ送信することができるので、外部から取得したＦＡＸ番号に基づくＦＡＸ送信を確実に実行することができる。また、ユーザに、市外局番を探させるような繁雑な作業を強いることなく、ユーザの利便性を高めることができる。
【００５６】
次に、上述の処理では、ＬＡＮ５上に設けたサーバ４から市外局番を取得する場合を説明したが、図２に示した情報処理システムの場合、インターネット６上で公開されている番号検索サイト７を用いるようにすれば、サーバ４を設ける必要が無く、このシステムの運用のコストを低減することができる。
【００５７】
図６は、図２のＭＦＰ１がＦＡＸ送信する際の処理を示すフローチャート図である。
図２のＭＦＰ１はＭＦＰ３にＦＡＸ送信する際、自装置のアドレス帳にはＭＦＰ３のＦＡＸ番号が登録されていないので、そのＦＡＸ番号が登録されているＭＦＰ２から取得を開始する。
図２のＭＦＰ１のＦＡＸ処理部１９は、図６のステップ（図中「Ｓ」で示す）１１のＦＡＸ番号取得処理で、ＭＦＰ２に対してＭＦＰ３のＦＡＸ番号を要求して取得し、ステップ１２へ進む。
【００５８】
一方、図２のＭＦＰ２では、そのＦＡＸ処理部１９が、ＭＦＰ１からＭＦＰ３のＦＡＸ番号が要求された場合、記憶部１１に登録されたＭＦＰ３のＦＡＸ番号を返送する。
図２のＭＦＰ１のＦＡＸ処理部１９は、図６のステップ１２の番号有りか否かの判断処理で、ＭＦＰ２から取得したＦＡＸ番号を調べて市外局番が付いているか否かを判断し、付いていれば、ステップ１３へ進んでＭＦＰ２から取得したＦＡＸ番号によってＭＦＰ３へのＦＡＸ送信処理を実行し、この処理を終了する。
【００５９】
しかし、ステップ１２の判断で、ＭＦＰ２から取得したＦＡＸ番号に市外局番が付いていなかった場合、ステップ１４の番号検索サイトに接続と検索の処理で、図２のインターネット６の番号検索サイト７にアクセスして、その番号検索サイト７によって上記ＦＡＸ番号に対応する市外局番を検索し、ステップ１５へ進む。
このように、不明な市外局番をインターネット上に設けられた番号検索サイトを利用して取得するようにすれば、常に最新の市外局番を取得することができ、例えば、上述のサーバ４に登録されていた市外局番が現在は他の番号に変っていた場合、外部から取得した市外局番が使用できないといったことを防止することができる。
【００６０】
ここで、ＭＦＰ１がＭＦＰ３と同じ市内にあるＭＦＰ２から取得したＭＦＰ３のＦＡＸ番号に市外局番が付いていなかった場合、インターネット６の番号検索サイト７からＭＦＰ３のＦＡＸ番号の市外局番を取得する処理について詳しく説明する。
まず、ＭＦＰ２には、上述と同様にして記憶部１１に予めＭＦＰ２が設置されている事業所の住所情報を登録している。また、外部からの求めに応じてＧＰＳで測定したＭＦＰ２の所在位置の情報を返送するようにしてもよい。
【００６１】
例えば、ＭＦＰ１はＭＦＰ２の機器固有の識別情報に基づいて番号検索サイト７からＭＦＰ３のＦＡＸ番号に付与する市外局番を取得する方法では、ＭＦＰ１のＦＡＸ処理部１９は、上述のステップ１２の判断で、ＭＦＰ２から取得したＦＡＸ番号に市外局番が付いていなかった場合、ＭＦＰ２に住所情報を要求する。
【００６２】
一方、ＭＦＰ２のＦＡＸ処理部１９は、ＭＦＰ１からの要求に応じて記憶部１１に記憶している自装置の住所情報を読み出してＭＦＰ１へ返送する。
ＭＦＰ１のＦＡＸ処理部１９は、ＭＦＰ２から住所情報を取得すると、予め自装置に登録されている宛先（サイトのアドレス）に基づいてインターネット６上の番号検索サイト７にアクセスし、その番号検索サイト７にＭＦＰ２から取得した住所情報を送って該当する市外局番を取得する。
このようにして、ＭＦＰ１は番号検索サイト７からＭＦＰ２のＦＡＸ番号の市外局番を取得し、ＭＦＰ２から取得したＭＦＰ２と同市内にあるＭＦＰ３の市外局番が付いていなかったＦＡＸ番号に上記取得した市外局番を付けてＦＡＸ送信することができる。
また、ＭＦＰ１がＭＦＰ２の所在位置の情報に基づいて番号検索サイト７からＭＦＰ２のＦＡＸ番号の市外局番を取得する場合も上述と同様にして行うことができ、ＭＦＰ１は、ＭＦＰ２から取得したＭＦＰ２のＧＰＳによる所在位置の情報に基づいて、番号検索サイト７から対応する市外局番を取得することができる。
【００６３】
なお、上述の処理に変えて、ＭＦＰ１はＭＦＰ２にＭＦＰ３のＦＡＸ番号を取得する際、ＭＦＰ１は、ＭＦＰ２に対してＭＦＰ３のＦＡＸ番号に市外局番が付いているか否かを問い合わせ、ＭＦＰ２ではその問い合わせに対してＭＦＰ３のＦＡＸ番号を調べて市外局番が付いているか否かを回答し、ＭＦＰ１はＭＦＰ２から市外局番が付いていないとの回答があった場合、上述のようにしてＭＦＰ２の住所情報、または所在位置の情報を取得して該当する市外局番を番号検索サイト７から取得するようにしてもよい。
【００６４】
図２のＭＦＰ１のＦＡＸ処理部１９は、ステップ１５の番号取得か否かの判断で、番号検索サイト７によって上記ＦＡＸ番号に対応する市外局番を検索して取得した場合、ステップ１３へ進んでＭＦＰ２から取得したＦＡＸ番号に番号検索サイト７から取得した市外局番を付けてＭＦＰ３へのＦＡＸ送信処理を実行し、この処理を終了する。
また、ステップ１５の判断で、番号検索サイト７から上記ＦＡＸ番号に対応する市外局番を検索して取得できなかった場合、ステップ１６で、ＦＡＸ番号の市外局番が不明のためにＦＡＸ送信できない旨をユーザに通知するエラー処理を実行して、この処理を終了する。
【００６５】
このようにして、ＭＦＰ間の連携処理機能を利用してＦＡＸ送信を行う場合、自装置のアドレス帳にＦＡＸ送信先のＦＡＸ番号がなくても、インターネット上に設けられた番号検索サイトを利用することにより、低コストで不明な市外局番を検索して取得することができるので、外部から取得したＦＡＸ番号に基づくＦＡＸ送信を確実に実行することができる。
【００６６】
次に、上述の処理では、ＬＡＮ５上に設けたサーバ４又はインターネット６の番号検索サイト７から市外局番を取得する場合を説明したが、ＭＦＰ２がＭＦＰ３と同じ市内にある場合は両者のＦＡＸ番号の市外局番は同じである（電話番号も該当する）。そこで、ＦＡＸ番号の取得先のＭＦＰ２に登録されているＭＦＰ２のＦＡＸ番号（あるいは電話番号）の市外局番を取得するようにしても良い。
【００６７】
図７は、図１又は図２のＭＦＰ１がＭＦＰ３へＦＡＸ送信する際の処理を示すフローチャート図である。
図１又は図２のＭＦＰ１はＭＦＰ３にＦＡＸ送信する際、自装置のアドレス帳にはＭＦＰ３のＦＡＸ番号が登録されていないので、そのＦＡＸ番号が登録されているＭＦＰ２から取得を開始する。
【００６８】
図１又は図２のＭＦＰ１のＦＡＸ処理部１９は、図７のステップ（図中「Ｓ」で示す）２１のＦＡＸ番号取得処理で、ＭＦＰ２に対してＭＦＰ３のＦＡＸ番号を要求して取得し、ステップ２２へ進む。
一方、図１又は図２のＭＦＰ２では、そのＦＡＸ処理部１９が、ＭＦＰ１からＭＦＰ３のＦＡＸ番号が要求された場合、記憶部１１に登録されたＭＦＰ３のＦＡＸ番号を返送する。
【００６９】
図１又は図２のＭＦＰ１のＦＡＸ処理部１９は、図７のステップ２２の番号有りか否かの判断処理で、ＭＦＰ２から取得したＦＡＸ番号を調べて市外局番が付いているか否かを判断し、付いていれば、ステップ２３へ進んでＭＦＰ２から取得したＦＡＸ番号によってＭＦＰ３へのＦＡＸ送信処理を実行し、この処理を終了する。
しかし、ステップ２２の判断で、ＭＦＰ２から取得したＦＡＸ番号に市外局番が付いていなかった場合、ステップ２４のＭＦＰに番号要求処理で、ＦＡＸ番号を取得したＭＦＰ２にアクセスして、ＭＦＰ２にＭＦＰ２のＦＡＸ番号に対応する市外局番を要求し、ステップ２５へ進む。
【００７０】
一方、図１又は図２のＭＦＰ２では、そのＦＡＸ処理部１９が、ＭＦＰ１から自装置のＦＡＸ番号に対応する市外局番が要求された場合、記憶部２０に蓄積された自装置のＦＡＸ番号から市外局番を抽出して返送し、自装置のＦＡＸ番号に市外局番が付いていなければその旨を通知する。
【００７１】
図１又は図２のＭＦＰ１のＦＡＸ処理部１９は、図７のステップ２５の番号取得か否かの判断で、ＭＦＰ２から上記ＦＡＸ番号に対応する市外局番を取得した場合、ステップ２３へ進んでＭＦＰ２から取得したＦＡＸ番号に同じくＭＦＰ２から取得した市外局番を付けてＭＦＰ３へのＦＡＸ送信処理を実行し、この処理を終了する。
また、ステップ２５の判断で、ＭＦＰ２から市外局番を取得できなかった場合、ステップ２６でＦＡＸ番号の市外局番が不明のためにＦＡＸ送信できない旨をユーザに通知するエラー処理を実行して、この処理を終了する。
【００７２】
次に、上述の各処理によって市外局番を取得できなかった場合や、ＦＡＸ送信するユーザが市外局番を知っている場合では、ＭＦＰ２から取得したＦＡＸ番号に直接入力できるようにすれば、ユーザの利便性をより高めることができる。
【００７３】
そこで、図１又は図２のＭＦＰ１のＦＡＸ処理部１９は、ＭＦＰ２からＦＡＸ番号を取得した後に、市外局番が付いていないことを確認すると、上述のいずれかの処理によって市外局番を取得する処理を実行するが、そのいずれの処理でも市外局番が取得できなかった場合、入出力制御部１５によって操作表示部１０に上記ＦＡＸ番号に対する市外局番を入力させる作業画面を表示する。
そして、ＦＡＸ処理部１９は、操作表示部１０に表示した作業画面のＦＡＸ番号に対して市外局番が入力されたら、その市外局番を付けたＦＡＸ番号に基いて、ＭＦＰ３へＦＡＸ送信を行う。
【００７４】
なお、上述の実施例では、外部から市外局番を取得する場合を説明したが、その他に、ＦＡＸ番号の、中継する電話会社を指定して国内に電話をかける場合の識別番号、電話会社（事業者識別番号、例：ＫＤＤＩ（登録商標）→００７７）、国番号（例：外国から日本にかける場合の日本の国番号：８１）などの番号を含む場合についても上述と同様にして実施することができる。
【００７５】
また、市外局番と共に市内局番も変更されることがあるので、市外局番、市内局番、国番号、または電話会社の識別番号を含む番号が変更されている場合には、変更後の番号を上述と同様の工程によってそれぞれ取得して番号を差し替えるようにすると良い。
さらに、上述の実施例ではＦＡＸ番号の場合を示したが、電子メールの場合にも適用可能であり、その場合は、例えば、ドメイン名が省略されている場合に、その省略されているドメイン名を取得して電子メールを送信することができる。
【産業上の利用可能性】
【００７６】
この発明による情報処理システム、情報処理装置、情報処理方法、およびプログラムは、ファクシミリ装置、プリンタ、スキャナ、複写機、および複合機等の画像形成装置、パーソナルコンピュータを含む情報処理装置の全般に適用することができる。
【符号の説明】
【００７７】
１〜３：ＭＦＰ    ４：サーバ    ５：ＬＡＮ    ６：インターネット    ７：番号検索サイト    １０：操作表示部    １１、２０：記憶部    １２、２１：通信部    １３：エンジン部    １４、２２：制御部    １５：入出力制御部    １６、２３：記憶制御部    １７、２４：通信制御部    １８：エンジン制御部    １９：ＦＡＸ処理部    ２５：検索部
【先行技術文献】
【特許文献】
【００７８】
【特許文献１】特開２００４−２８２３９４号公報
【図１】
0005728923.tif 000002
【図２】
0005728923.tif 000003
【図３】
0005728923.tif 000004
【図４】
0005728923.tif 000005
【図５】
0005728923.tif 000006
【図６】
0005728923.tif 000007
【図７】
0005728923.tif 000008